【事件の表示】
　特願２００８−１９９２３５「スロット型光ケーブル」拒絶査定不服審判事件〔平成２２年　２月１８日出願公開、特開２０１０−　３９０２０〕について、次のとおり審決する。
【結　論】
　本件審判の請求は、成り立たない。
【理　由】
Ｉ．手続の経緯
　本願は、平成２０年８月１日の出願であって、平成２２年１月１４日に明細書及び特許請求の範囲の補正がなされたが拒絶査定がなされ、これに対して、同年８月９日に拒絶査定不服審判の請求がなされると同時に明細書及び特許請求の範囲の補正がなされたものである。（以下、平成２２年８月９日にされた手続補正を「本件補正」という。）
　
II．本件補正についての補正却下の決定
［補正却下の決定の結論］
　本件補正を却下する。
　
［理由］
１．本件補正の内容　
　本件補正は、本願特許請求の範囲の請求項１を
「【請求項１】
　外周部に収納溝が形成されたスロットロッドと、
　複数本の光ファイバを一列に配列して一括被覆してなり、前記スロットロッドの径方向にｎ（ｎは３以上の整数）枚以上積層した状態で前記収納溝内に収容されるテープ心線とを備え、
　
前記テープ心線は、前記光ファイバの被覆厚が両面で均一であり、
　前記スロットロッドの径方向の最も外側に配置されるテープ心線の厚さ及び前記スロットロッドの径方向の最も内側に配置されるテープ心線の厚さは、他のテープ心線の厚さよりも厚く、
　前記光ファイバの直径は０．２４〜０．２６ｍｍであり、
　前記スロットロッドの径方向の最も外側に配置されるテープ心線の厚さδ１、
　前記スロットロッドの径方向の最も内側に配置されるテープ心線の厚さδｎ、及び
　前記スロットロッドの径方向の外側からｉ枚目（ｉは２〜ｎ−１の整数）のテープ心線の厚さδｉが
　０．２９ｍｍ≦δ１≦０．３３ｍｍ
　０．２９ｍｍ≦δｎ≦０．３３ｍｍ
　０．２７ｍｍ≦δｉ≦０．２９ｍｍ
　δ１−δｉ≧０．０２ｍｍ
　δｎ−δｉ≧０．０２ｍｍの関係を有し、かつ、
　前記収納溝の深さと前記テープ心線の積層高さとの差Ｃが０≦Ｃ≦０．７ｍｍであり、占積率βが０．６５≦β≦１であることを特徴とするスロット型光ケーブル。」
と補正することを含むものである。
　
２．本件補正の追加事項
　本件補正は、「前記テープ心線は、前記光ファイバの被覆厚が両面で均一であり、」との事項を追加するものであるところ、本願出願当初の明細書又は特許請求の範囲に、テープ心線の光ファイバの両面で被覆厚が均一である旨の記載はない。
　図面を参照しても、テープ心線の光ファイバの被覆厚は、光ファイバの中心が存在する部分で最も薄く、隣の光ファイバと接する部分で最も厚くなっていることが見てとれ、被覆厚が均一であると認めることはできない。
　なお、審判請求書における請求人の主張の内容及び回答書の「光ファイバの被覆厚が両面で同一である」と補正をする用意があるとの記載からみて、「同一」と記載すべきところを「均一」と誤記したものと認められないこともない。
　そこで、「前記テープ心線は、前記光ファイバの被覆厚が両面で同一であり、」との事項について検討するに、本願出願当初の明細書又は特許請求の範囲に、テープ心線の光ファイバの両面で被覆厚が同一である旨の記載はない。
　請求人は、審判請求書において、この補正が出願当初の図面の図１〜図４を根拠とするものである旨の主張をしているが、図１〜図４が本願請求項１に係る発明の内容を正確に表すものであるとは到底認められないから（例えば、本願請求項１に係る発明は「前記スロットロッドの径方向の最も外側に配置されるテープ心線の厚さ及び前記スロットロッドの径方向の最も内側に配置されるテープ心線の厚さは、他のテープ心線の厚さよりも厚く」との事項を有するものであるところ、いずれの図もこの事項を図示するものではなく、テープ心線の厚さは全て同じに図示されているものと認められる。）、「前記テープ心線は、前記光ファイバの被覆厚が両面で同一であり、」との事項が図面に記載されているとはいえない。
　
　以上のことから、本件補正後の請求項１の記載に係る「前記テープ心線は、前記光ファイバの被覆厚が両面で均一（同一）であり、」との事項について、本願の願書に最初に添付した明細書、特許請求の範囲又は図面に記載した事項の範囲内のものとはいえない。
　したがって、本件補正は、特許法第１７条の２第３項に規定する要件を満たしていないので、同法第１５９条第１項において読み替えて準用する同法第５３条第１項の規定により却下すべきものである。　
　
III．本願発明について
１．本願発明
　本件補正は上記のとおり却下されたので、本願の請求項に係る発明は、平成２２年１月１４日に補正された特許請求の範囲の請求項１及び２に記載された事項によって特定されるものであるところ、その請求項１に係る発明（以下「本願発明」という。）は、次のとおりである。
　
「外周部に収納溝が形成されたスロットロッドと、
　複数本の光ファイバを一列に配列して一括被覆してなり、前記スロットロッドの径方向にｎ（ｎは３以上の整数）枚以上積層した状態で前記収納溝内に収容されるテープ心線とを備え、
　前記スロットロッドの径方向の最も外側に配置されるテープ心線の厚さ及び前記スロットロッドの径方向の最も内側に配置されるテープ心線の厚さは、他のテープ心線の厚さよりも厚く、
　前記光ファイバの直径は０．２４〜０．２６ｍｍであり、
　前記スロットロッドの径方向の最も外側に配置されるテープ心線の厚さδ１、
　前記スロットロッドの径方向の最も内側に配置されるテープ心線の厚さδｎ、及び
　前記スロットロッドの径方向の外側からｉ枚目（ｉは２〜ｎ−１の整数）のテープ心線の厚さδｉが
　０．２９ｍｍ≦δ１≦０．３３ｍｍ
　０．２９ｍｍ≦δｎ≦０．３３ｍｍ
　０．２７ｍｍ≦δｉ≦０．２９ｍｍ
　δ１−δｉ≧０．０２ｍｍ
　δｎ−δｉ≧０．０２ｍｍの関係を有し、かつ、
　前記収納溝の深さと前記テープ心線の積層高さとの差Ｃが０≦Ｃ≦０．７ｍｍであり、占積率βが０．６５≦β≦１であることを特徴とするスロット型光ケーブル。」
　
２．引用例
　原査定の拒絶理由に引用され、本願出願前に頒布された特開２００２−１６２５４４号公報（以下「引用例」という。）には、図とともに次の記載がある。
　
「【０００１】
【発明の属する技術分野】本発明は、複数本の光ファイバを並べたテープ心線の構造、および多数のテープ心線をスロットに積層収容したテープスロット型光ケーブルの構造に関する。」
　
「【００１１】
【発明の実施の形態】図１は、本発明の第１の実施の形態によるテープ心線を示す図である。図中、１１はテープ心線、１２は光ファイバ素線、１３は被覆層を示す。テープ心線１１は、複数本の光ファイバ素線１２を一列に並べ、これを紫外線硬化樹脂等により一括被覆してテープ状に形成される。このテープ心線１１は、テープスロット型光ケーブルに使用され、特にスロット内で最内層または最外層に積層収納される。
【００１２】テープ心線１１の一括被覆により形成される被覆層１３は、テープ心線１１の両面での被覆厚さを異ならせてあり、一方の面１４ａ側を薄く、他方の面１４ｂ側を厚くしてある。厚く形成する面１４ｂ側の厚さは、テープ心線をスロット５内に積層収納した際に、スロット底壁やケーブル周囲からの外力により伝送特性に影響を受けないような厚さで形成され、大体０．０２ｍｍ以上の厚みが好ましい。薄く形成する面１４ａ側の厚さは、０．０２ｍｍ未満で可能な限り薄くしてよく、複数の光ファイバ素線を共通保持できるならゼロであってもよい。
【００１３】具体例としては、４心のテープ心線１１の一方の面１４ａ側の被覆厚さｔ１を０．０１ｍｍとし、他方の面１４ｂ側の被覆厚さｔ２を０．０２５ｍｍとする。光ファイバ素線１２の直径ｔｃを従来と同様に０．２５ｍｍ（公称外径１２５μｍガラスファイバ上に外径２５０μｍ保護被覆を有する）とすると、テープ心線１１の全体の厚さＨは、０．２８５ｍｍとなる。」
　
【００１７】図３は、本発明のテープスロット型光ケーブルの実施の形態を示す。図中、最内層に位置するテープ心線を１１ａ、最外層に位置するテープ心線を１１ｂ、中間に位置するテープ心線を１１ｃとする。スロット部体４のスロット５に積層収納するテープ心線は、図１または図２で示した両面で被覆厚さが異なるテープ心線１１または１１´を、最内層に位置するテープ心線１１ａおよび最外層に位置するテープ心線１１ｂとして使用する。最内層と最外層の間に位置する中間のテープ心線には、両面の被覆厚さを同じにしたテープ心線を使用する。
【００１８】最内層に位置するテープ心線１１ａは、被覆厚さが厚い方をスロット５の底壁に接するように内側にして配設する。最外層に位置するテープ心線１１ｂは、被覆厚さが厚い方をスロット５の外側になるように配設する。中間に位置する複数のテープ心線を１１ｃは、被覆層が１層または２層のいずれのものでもよく、両面の被覆厚さは従来と同様に同じとするが、被覆厚さを最内層と最外層に位置するテープ心線１１ａおよび１１ｂより薄く形成してもよい。具体例としては、テープ心線１１ｃの両面側の被覆厚さをそれぞれ０．０１ｍｍとし、光ファイバ素線の直径を０．２５ｍｍとすると、被覆層全体の厚さは、０．２７ｍｍとなる。
【００１９】以上の形態で、テープ心線１１ａ，１１ｂ，１１ｃをスロット５内に積層収納することにより、テープ心線の全体の積層高さを小さくすることができ、ケーブルの細径化を図ることができる。テープ心線の被覆厚さを薄くすると、被覆内の光ファイバに外力が伝わりやすく損失増加の原因となるが、スロット５の底壁と接するテープ心線１１ａは、底壁と接する側の被覆厚さを厚くしてあるため外力を緩和し、損失増加を防止することができる。また、最外層のテープ心線１１ｂも外力を受けやすい外面側を、同様に被覆厚さを他の側より厚くしてあるため損失増加を防止することができる。」
　
　上記記載を踏まえて図３をみれば、引用例には、
「複数の光ファイバ素線１２を一列に並べて被覆層１３で一括被覆された多数の光ファイバテープ心線１１をスロット部材４のスロット５に積層収納してなるテープスロット型光ケーブルであって、
　前記光ファイバ素線１２の直径は０．２５ｍｍであり、
　スロットに積層収納された最内層の光ファイバテープ心線１１ａの被覆層全体の厚さは、０．２８５ｍｍであり、
　スロットに積層収納された最外層の光ファイバテープ心線１１ｂの被覆層全体の厚さは、０．２８５ｍｍであり、
　中間に位置する複数のテープ心線１１ｃの被覆層全体の厚さは、０．２７ｍｍであるテープスロット型光ケーブル。」（以下「引用発明」という。）が記載されているものと認められる。　
　
３．対比
　本願発明と引用発明を対比するに、引用発明の「スロット５」、「スロット部材４」、「光ファイバ素線１２」、「光ファイバテープ心線１１」、「スロットに積層収納された最外層の光ファイバテープ心線１１ｂ」、「スロットに積層収納された最内層の光ファイバテープ心線１１ａ」、「中間に位置する複数のテープ心線１１ｃ」及び「テープスロット型光ケーブル」は、それぞれ、本願発明の「収納溝」、「スロットロッド」、「光ファイバ」、「テープ心線」、「前記スロットロッドの径方向の最も外側に配置されるテープ心線」、「前記スロットロッドの径方向の最も内側に配置されるテープ心線」、「前記スロットロッドの径方向の外側からｉ枚目（ｉは２〜ｎ−１の整数）のテープ心線」及び「スロット型光ケーブル」に相当するものと認められる。
　ここで、引用発明の「光ファイバテープ心線１１」の枚数が３以上であることは明らかである。
　また、引用発明でいう「被覆層全体の厚さ」が本願発明でいう「テープ心線の厚さ」に相当するところであり、引用発明において、「スロットに積層収納された最外層の光ファイバテープ心線１１ｂの被覆層全体の厚さ」及び「スロットに積層収納された最内層の光ファイバテープ心線１１ａの被覆層全体の厚さ」がともに０．２８５ｍｍであるのに対し、「中間に位置する複数のテープ心線１１ｃの被覆層全体の厚さ」は０．２７ｍｍであるから、本願発明と引用発明は、「前記スロットロッドの径方向の最も外側に配置されるテープ心線の厚さ及び前記スロットロッドの径方向の最も内側に配置されるテープ心線の厚さは、他のテープ心線の厚さよりも厚く」の点で一致する。
　また、引用発明において、「光ファイバ素線１２の直径は０．２５ｍｍ」であるから、本願発明と引用発明は、「光ファイバの直径は０．２４〜０．２６ｍｍであり」の点で一致する。
　また、引用発明において、「中間に位置する複数のテープ心線１１ｃの被覆層全体の厚さは、０．２７ｍｍである」から、本願発明と引用発明は、「前記スロットロッドの径方向の外側からｉ枚目（ｉは２〜ｎ−１の整数）のテープ心線の厚さδｉが０．２７ｍｍ≦δｉ≦０．２９ｍｍ」の点で一致する。
　
　以上のことから、本願発明と引用発明は、
「外周部に収納溝が形成されたスロットロッドと、
　複数本の光ファイバを一列に配列して一括被覆してなり、前記スロットロッドの径方向にｎ（ｎは３以上の整数）枚以上積層した状態で前記収納溝内に収容されるテープ心線とを備え、
　前記スロットロッドの径方向の最も外側に配置されるテープ心線の厚さ及び前記スロットロッドの径方向の最も内側に配置されるテープ心線の厚さは、他のテープ心線の厚さよりも厚く、
　前記光ファイバの直径は０．２４〜０．２６ｍｍであり、
　前記スロットロッドの径方向の外側からｉ枚目（ｉは２〜ｎ−１の整数）のテープ心線の厚さδｉが
　０．２７ｍｍ≦δｉ≦０．２９ｍｍであるスロット型光ケーブル。」の点で一致する。
　
　一方、本願発明と引用発明は、次のａ及びｂの点で相違する。
ａ．本願発明は、
「前記スロットロッドの径方向の最も外側に配置されるテープ心線の厚さδ１、
　前記スロットロッドの径方向の最も内側に配置されるテープ心線の厚さδｎ、及び
　前記スロットロッドの径方向の外側からｉ枚目（ｉは２〜ｎ−１の整数）のテープ心線の厚さδｉが
　０．２９ｍｍ≦δ１≦０．３３ｍｍ
　０．２９ｍｍ≦δｎ≦０．３３ｍｍ
　δ１−δｉ≧０．０２ｍｍ
　δｎ−δｉ≧０．０２ｍｍの関係」を有するのに対し、
　引用発明は、
　δ１＝δｎ＝０．２８５ｍｍ
　δ１−δｉ＝δｎ−δｉ＝０．２８５ｍｍ−０．２７ｍｍ＝０．０１５ｍｍである点。
　
ｂ．本願発明は、
　「前記収納溝の深さと前記テープ心線の積層高さとの差Ｃが０≦Ｃ≦０．７ｍｍであり、占積率βが０．６５≦β≦１である」とされているのに対し、
　引用発明において、収納溝の深さと前記テープ心線の積層高さとの差Ｃ及び占積率βがこのようなものであるか不明な点。
　
４．相違点についての検討
　相違点ａについて検討するに、引用発明は、引用例【００１３】に記載されるように、テープ心線１１の一方の面１４ａ側の被覆厚さｔ１を０．０１ｍｍとし、他方の面１４ｂ側の被覆厚さｔ２を０．０２５ｍｍとすることにより、光ファイバ素線１２の直径である０．２５ｍｍと併せて、本願発明でいうδ１及びδｎを０．２８５ｍｍとしているが、被覆厚さｔ１及びｔ２をどの程度とするかは単に設計的事項にすぎず、ｔ１とｔ２を併せた厚さを０．００５ｍｍ程度厚くすることに困難性は認められない。
　特にｔ２については、引用例【００１９】の記載からみて、この厚さが厚い方がより効果的に光ファイバに伝わる外力を緩和し、損失増加を防止することができるものと認められるから、この厚さを０．００５ｍｍ程度厚くし、δ１及びδｎを０．２９ｍｍとして上記相違点ａに係る本願発明の発明特定事項となすことは、当業者が容易に採用し得るものと認められる。
　
　相違点ｂについて検討するに、引用例の図３には、スロット５の深さと光ファイバテープ心線１１の積層高さは同じ、すなわち、Ｃ＝０として図示されているところであり、また、引用発明において、積層された光ファイバテープ心線１１は、スロット部材４のスロット５に収納されるのであるから、光ファイバテープ心線１１がスロット５から飛び出すこと、すなわち、光ファイバテープ心線１１の積層高さをスロット５の深さより大きくすることは考えがたいところであり、前記収納溝の深さと前記テープ心線の積層高さとの差Ｃについて、０≦Ｃ≦０．７ｍｍとすることは、当業者が容易に採用し得るものと認められる。
　また、占積率βをどの程度にするかは設計的事項にすぎず、引用例の図３においては０．８程度の占積率βで図示されているところであり、占積率βとして０．６５≦β≦１のものを採用することに困難性は認められない。
　
５．むすび
　以上のとおりであるから、本願発明は、引用発明に基づいて当業者が容易に発明できたものと認められ、特許法第２９条第２項の規定により特許を受けることができない。
　よって、結論のとおり審決する。